(57)【要約】【課題】廉価な鉄材を主たる成分とするカバーにおいて可聴域のノイズ音が発生しないプラズマディスプレイ装置を提供することを目的とする。【解決手段】プラズマディスプレイパネルの背面側に、ＡＣ電源に接続されかつノイズフィルタ２５３を有するノイズフィルタ回路とを配置し、かつノイズフィルタ回路を覆うように前記プラズマディスプレイパネルの背面側に磁性を有する金属材料からなるカバー２８を配置することにより構成され、前記ノイズフィルタ２５３を磁気シールド部材２９で覆ったもので、カバー２８への磁束漏洩量を低減することができるので、この結果カバー２８において可聴域のノイズ音が発生しないという作用を有する。【選択図】　図３
2004029266.tif 000002
【特許請求の範囲】
【請求項１】
プラズマディスプレイパネルの背面側に配設したシャーシ部材に、ＡＣ電源に接続されかつノイズフィルタを有するノイズフィルタ回路を配置し、かつノイズフィルタ回路を覆うように前記プラズマディスプレイパネルの背面側に磁性を有する金属材料からなるカバーを配置することにより構成され、前記ノイズフィルタを磁気シールド部材で覆ったことを特徴とするプラズマディスプレイ装置。
【請求項２】
プラズマディスプレイパネルの背面側に配設したシャーシ部材に、プラズマディスプレイパネルを駆動する駆動回路と、この駆動回路に電力を供給する電源回路と、ＡＣ電源に接続されかつノイズフィルタを有するノイズフィルタ回路とを配置し、かつそれらの駆動回路、電源回路およびノイズフィルタ回路を覆うように前記プラズマディスプレイパネルの背面側に磁性を有する金属材料からなるカバーを配置することにより構成され、かつ前記ノイズフィルタを磁気シールド部材で覆うとともに、ノイズフィルタと磁気シールド部材との間に難燃性絶縁樹脂を充填したことを特徴とするプラズマディスプレイ装置。
【発明の詳細な説明】
【０００１】
【発明の属する技術分野】
本発明は、プラズマディスプレイ装置に関する。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化、消費電力および製造の簡便性から、現状では、ＡＣ型で面放電型のプラズマディスプレイ装置が主流を占めるようになってきている。
【０００４】
まず、プラズマディスプレイ装置におけるプラズマディスプレイパネルの構造について図５を用いて説明する。図５に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００５】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００６】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００７】
図６にこのプラズマディスプレイパネルの電極配列を示しており、図６に示すようにスキャン電極およびサステイン電極とアドレス電極とは、Ｍ行×Ｎ列のマトリックス構造であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
図７に上記で説明した構造のパネルを組み込んだプラズマディスプレイ装置の全体構成の一例を示している。図において、パネル１０を収容する筐体は、前面枠１１と金属製のカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、カバー１２には、パネル１０等で発生した熱を外部に放出するための複数の通気孔１２ａが設けられている。
【００１０】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１１】
また、シャーシ部材１４の後面には、回路ブロック１６を取り付けたり、カバー１２を固定するためのボス部１４ａがダイカスト等による一体成型により突設されている。なお、このシャーシ部材１４は、アルミニウム平板に固定ピンを固定して構成してもよい。
【００１２】
【発明が解決しようとする課題】
しかし、このようなプラズマディスプレイ装置においては、カバーの材質をアルミニウムから廉価な鉄材に変更した場合、電源電圧の低い日米のＡＣ電源電圧範囲であるＡＣ１００Ｖ、ＡＣ１２０Ｖ用において、可聴域のノイズ音が発生するという課題を有していた。特に、電源回路をコンデンサインプット型のＡＣ−ＤＣ整流回路を使用したプラズマディスプレイ装置において、可聴域のノイズ音が発生するという課題を有していた。
【００１３】
本発明はこのような課題を解決し、可聴域のノイズ音のないプラズマディスプレイ装置を提供するものである。
【００１４】
【課題を解決するための手段】
上記目的を達成するために本発明のプラズマディスプレイ装置は、プラズマディスプレイパネルの背面側に配設したシャーシ部材に、ＡＣ電源に接続されかつノイズフィルタを有するノイズフィルタ回路とを配置し、かつノイズフィルタ回路を覆うように前記プラズマディスプレイパネルの背面側に磁性を有する金属材料からなるカバーを配置することにより構成され、前記ノイズフィルタを磁気シールド部材で覆った構成とするものである。
【００１５】
本発明によれば、ノイズフィルタを構成する磁性体のコア内の磁力線を磁気シールド部材で遮断する構成としているので、ＡＣラインの異極巻線間に発生する漏洩磁束のカバーへの漏洩量を低減することができるため、可聴域のノイズ音の発生の少ないプラズマディスプレイ装置を提供することができる。
【００１６】
【発明の実施の形態】
すなわち、本発明の請求項１記載の発明は、プラズマディスプレイパネルの背面側に配設したシャーシ部材に、ＡＣ電源に接続されかつノイズフィルタを有するノイズフィルタ回路とを配置し、かつノイズフィルタ回路を覆うように前記プラズマディスプレイパネルの背面側に磁性を有する金属材料からなるカバーを配置することにより構成され、前記ノイズフィルタを磁気シールド部材で覆ったもので、カバーへの磁束漏洩量を低減することができるので、この結果カバーにおいて可聴域のノイズ音が発生しないという作用を有するものである。
【００１７】
本発明の請求項２記載の発明は、プラズマディスプレイパネルの背面側に配設したシャーシ部材に、プラズマディスプレイパネルを駆動する駆動回路と、この駆動回路に電力を供給する電源回路と、ＡＣ電源に接続されかつノイズフィルタを有するノイズフィルタ回路とを配置し、かつそれらの駆動回路、電源回路およびノイズフィルタ回路を覆うように前記プラズマディスプレイパネルの背面側に磁性を有する金属材料からなるカバーを配置することにより構成され、かつ前記ノイズフィルタを磁気シールド部材で覆うとともに、ノイズフィルタと磁気シールド部材との間に難燃性絶縁樹脂を充填したもので、ノイズフィルタと磁気シールドとの間に難燃性絶縁樹脂を充填することで絶縁と難燃性双方の特性をもった磁気シールド部品としてカバーへの磁束漏洩量を低減することができ、この結果カバーにおいて可聴域のノイズ音が発生しないという作用を有するものである。
【００１８】
以下、本発明の一実施の形態によるプラズマディスプレイ装置について、図１〜図４を用いて説明する。
【００１９】
図１、図２は本発明の一実施の形態によるプラズマディスプレイ装置における要部構成を示している。
【００２０】
図に示すように、プラズマディスプレイ装置は、図１に示す構成のパネル本体２１１の背面側にシャーシ部材としての放熱用のアルミ基材２１２を配置したプラズマディスプレイパネル２１と、図２に示すように所定の放電セルを放電させるデータを供給するデータ駆動回路２２１および放電セルを放電発光させる放電駆動回路２２２からなる駆動回路２２と、駆動回路２２にプラズマディスプレイパネル２１を駆動させる信号を供給する駆動信号処理回路２３と、駆動回路２２と駆動信号処理回路２３に電力を供給する電源回路２４と、ＡＣ電源に接続されるノイズフィルタ回路２５とから構成されている。プラズマディスプレイパネル２１と、駆動回路２２、データ駆動回路２２１および駆動信号処理回路２３との間はフラットケーブル２６で接続されている。また、図示はしていないが、各回路間は信号、電源ラインを導線にて接続している。さらに、プラズマディスプレイ装置はプラズマディスプレイパネル２１を保護するため、前面ガラス２７１、押さえ板２７２、エスカッション２７３からなる前面側のカバー２７と、鉄などを主成分とする磁性を有する金属材料からなる背面側のカバー２８を具備している。
【００２１】
図３に示すように、ＡＣ電源に接続されるノイズフィルタ回路２５は、プラズマディスプレイパネル２１の背面側に配設したアルミ基材２１２に取り付けられる金具２５１上にノイズフィルタ回路２５を構成するプリント基板２５２を固定しており、そしてプリント基板２５２にはコモンモードのノイズフィルタ２５３、および図示はしていないがノイズ除去用のフィルムコンデンサ、サージ吸収素子、ヒューズ等が搭載されている。なお、図３において、Ａは漏洩磁束の方向を示している。
【００２２】
また、このノイズフィルタ回路２５を覆うように前記プラズマディスプレイパネル２１の背面側には、磁性を有する金属材料からなるカバー２８が配置されており、そして前記ノイズフィルタ回路２５のノイズフィルタ２５３は、アルミニウム板で構成したケースからなる磁気シールド部材２９で覆うとともに、ノイズフィルタ２５３と磁気シールド部材２９との間に難燃性絶縁樹脂３０を充填した構成としている。なお、前記磁気シールド部材２９は、プリント基板２５２に固定している。
【００２３】
図４に従来のプラズマディスプレイ装置におけるノイズフィルタ２５３の取付け状態を示している。すなわち、従来においては、ノイズフィルタ２５３の磁力線方向がカバー２８に近接した面の面内方向に対して直交する方向に、ノイズフィルタ２５３が取付けられており、このためノイズフィルタ２５３からの漏洩磁束の影響をカバー２８が受け、漏洩磁束の強弱によりカバー２８に振動が発生し、これによってノイズ音が発生していた。
【００２４】
一方、本発明の構成とすることにより、ノイズフィルタ２５３に発生する漏洩磁束は、磁気シールド部材２９に遮断され、前記漏洩磁束がカバー２８を通過する量を低減することができる。この結果、ＡＣ電源周波数に連動したＡＣ電流による漏洩磁束の強弱により、ノイズフィルタ２５３とカバー２８との吸引力の強弱の繰り返しから発生するノイズ音を低減することができるものである。
【００２５】
なお、上記説明においては、カバー２８が外装の筐体も兼ねている例で説明したが、金属材料からなるカバー２８とは別に、外装用の合成樹脂からなるケースをカバー２８の上から被せるように設ける場合でも、同様な作用効果が得られる。
【００２６】
【発明の効果】
以上の説明から明らかなように、本発明にかかるプラズマディスプレイ装置によれば、プラズマディスプレイパネルの背面側に配設したシャーシ部材に、ＡＣ電源に接続されかつノイズフィルタを有するノイズフィルタ回路を配置し、かつノイズフィルタ回路を覆うように前記プラズマディスプレイパネルの背面側に磁性を有する金属材料からなるカバーを配置することにより構成され、前記ノイズフィルタを磁気シールド部材で覆ったもので、カバーへの磁束漏洩量を低減することができるので、この結果カバーにおいて可聴域のノイズ音が低減するという効果が得られる。
【図面の簡単な説明】
【図１】本発明の一実施の形態によるプラズマディスプレイ装置の内部構成を示す概略断面図
【図２】同プラズマディスプレイ装置において、カバーを取った状態の概略平面図
【図３】同プラズマディスプレイ装置の要部構成を示す正面図
【図４】従来のプラズマディスプレイ装置の要部構成を示す正面図
【図５】プラズマディスプレイ装置のパネルの概略構成を示す斜視図
【図６】同プラズマディスプレイ装置のパネルの電極配列を示す説明図
【図７】同プラズマディスプレイ装置の内部の配置構造を示す分解斜視図
【符号の説明】
２１　プラズマディスプレイパネル
２２　駆動回路
２３　駆動信号処理回路
２４　電源回路
２５　ノイズフィルタ回路
２８　カバー
２９　磁気シールド部材
３０　難燃性絶縁樹脂
２５３　ノイズフィルタ
【図１】
2004029266.tif 000003
【図２】
2004029266.tif 000004
【図３】
2004029266.tif 000005
【図４】
2004029266.tif 000006
【図５】
2004029266.tif 000007
【図６】
2004029266.tif 000008
【図７】
2004029266.tif 000009